(57)【要約】【課題】シロッコファンの吹出口にホースを接続してもホース内部で発生する共鳴音を抑制することができ、低騒音なシロッコファン及びそれを具備した換気装置と換気装置付き空気調和機を得る。【解決手段】吸込口３と吹出口を有するケーシング７内に収納され、複数のブレード２ａを円周状に配置して形成された羽根車２を有するシロッコファン１において、吸込口３の縁から吸込口面に対して略垂直に内側に向かって延設された突起部３ａを設け、吸込口３に設けられた突起部３ａを、吸込口３の全周縁に沿って設け、突起部３ａが羽根車２のブレード２ａとラップする幅をブレード２ａの幅の１０％〜５０％とした。【選択図】図３
2006233889.tif 000002
【特許請求の範囲】
【請求項１】
吸込口と吹出口を有するケーシング内に収納され、複数のブレードを円周状に配置して形成された羽根車を有するシロッコファンにおいて、
前記吸込口縁から前記吸込口面に対して略垂直に内側に向かって延設された突起部を設けたことを特徴とするシロッコファン。
【請求項２】
前記吸込口に設けられた前記突起部を、前記吸込口の全周縁に沿って設けられ、前記突起部が前記羽根車の前記ブレードとラップする幅を前記ブレードの幅の１０％〜５０％としたことを特徴とする請求項１記載のシロッコファン。
【請求項３】
吸込口内側に設けられた突起部を、前記羽根車の外周と前記ケーシングの内周との間隙が狭くなっている舌部近傍のみに設けたことを特徴とする請求項１記載のシロッコファン。
【請求項４】
前記吸込口の前記舌部近傍に設けられた前記突起部の前記羽根車の前記ブレードとラップする幅を、前記ブレードの幅の１５％〜５５％としたことを特徴とする請求項３記載のシロッコファン。
【請求項５】
前記吹出口にホースを接続し送風システムとして用いられることを特徴とする請求項１〜３のいずれかに記載のシロッコファン。
【請求項６】
吸込口と吹出口を有する箱体で構成された換気装置において、請求項１〜３のいずれかに記載のシロッコファンを用いたことを特徴とする換気装置。
【請求項７】
セパレートタイプの換気装置付き空気調和機において、請求項１〜３のいずれかに記載のシロッコファンを前記空気調和機の室内機、または、室外機に取りつけ、前記空気調和機の運転と連動して換気を行うようにしたことを特徴とする換気装置付き空気調和機。
【発明の詳細な説明】
【技術分野】
【０００１】
この発明は、シロッコファン及びそれを具備した換気装置と換気装置付き空気調和機に関する。
【背景技術】
【０００２】
従来のシロッコファンの吸込口は吸込む空気の風きり音等が発生しないようにＲ処理されているが、円周状に配置し複数のブレードとはある程度の距離を設けられ配置されている。また、低騒音のために吸込口の１部に中心方向に延びるリブが設けられている（例えば、特許文献１参照）。
【０００３】
【特許文献１】特開２００４−３３９９９７号公報（段落００２０〜００３２、図１）
【発明の開示】
【発明が解決しようとする課題】
【０００４】
従来のシロッコファンは、低騒音のために吸込口の１部に中心方向に延びるリブが設けられているが、特に、ホースを吹出し口に接続した場合は、ホース内で発生する共鳴音を抑制することができず、騒音レベルが悪化するという問題があった。
【０００５】
この発明は、上記のような課題を解決するためになされたもので、低騒音化を図ることができ、また、シロッコファンの吹出口にホースを接続してもホース内部で発生する共鳴音を抑制することができるシロッコファン及びそれを具備した換気装置と換気装置付き空気調和機を得ることを目的とする。
【課題を解決するための手段】
【０００６】
この発明に係るシロッコファンは、吸込口と吹出口を有するケーシング内に収納され、複数のブレードを円周状に配置して形成された羽根車を有するシロッコファンにおいて、
前記吸込口縁から前記吸込口面に対して略垂直に内側に向かって延設された突起部を設けたものである。
【発明の効果】
【０００７】
この発明は、吸込口縁から前記吸込口面に対して略垂直に内側に向かって延設された突起部を設けたので、低騒音化を図ることができ、また、シロッコファンの吹出口にホースを接続してもホース内部で発生する共鳴音を抑制することができる。
【発明を実施するための最良の形態】
【０００８】
実施の形態１．
図１はこの発明の実施の形態１を示すシロッコファンの斜視図、図２はシロッコファンの吸込口を羽根車側より見た要部斜視図、図３は図１の断面図である。
図において、シロッコファン１は、吸込口３と吹出口４を有する風路５を形成するケーシング７内に、複数のブレード２ａを円周状に配置して形成された羽根車２が設けられ、吸込口３の縁から吸込口面に対して略垂直に羽根車２の内周側に向かって延設された突起部３ａが設けられている。
吸込口３に設けられた突起部３ａは、吸込口３の全周縁に沿って設けられ、突起部３ａが羽根車２のブレード２ａの幅Ａに対して幅Ｂでラップしている。
また、吹出口４にはシロッコファンを用いる換気装置や空気調和機等の機器と接続されるホース１０が一般に接続される。
【０００９】
次に、この発明の実施の形態１を示すシロッコファンの動作について図１〜５により説明する。
図４は突起部３ａが羽根車２のブレード２ａとラップする幅Ｂと羽根車２のブレード２ａの幅Ａに対する割合と騒音低減率及び風量の関係図、図５は従来のシロッコファン１と本実施の形態のシロッコファン１に各々ホース１０を接続して、騒音を測定した結果を示す図である。
【００１０】
以上のように構成されたシロッコファン１は、羽根車２が駆動されると、吸込口３から空気を取り入れ吹出口４に接続されたホース１０から空気が放出される。
ここで、図３に示す突起部３ａが羽根車２のブレード２ａとラップする幅Ｂと羽根車２のブレード２ａの幅Ａに対する割合を０〜６０％に変化させ、ホース１０に発生する騒音低減率及び風量の関係を調べた。
その結果、図４に示すように、突起部３ａのラップの割合が多くなるほど風量が低下し、ラップ割合が１０％では風量が略９７％で略３％低下し、ラップ割合が５０％では風量が９０％で１０％低下し、ラップ割合が６０％では風量が略９８％で略１２％低下した。
一方、突起部３ａのラップの割合が多くなるほど騒音低減率が上昇し、ラップ割合が１０％では騒音低減率が略１０％、ラップ割合が５０％では３５％、ラップ割合が６０％では略４２％となった。
【００１１】
この結果から、シロッコファン１の風量の低下を抑制しつつ、ホース１０内で発生する共鳴音による騒音を抑制するには、騒音低下率の効果が１０％以上、シロッコファン１の風量の低下が１０％以下である領域つまり、羽根車２のブレード２ａの幅Ａに対する突起部３ａのラップ率を１０％〜５０％にすることが望ましい。
【００１２】
さらに、突起部３ａのラップ率を上記の１０％〜５０％の範囲の２９％として、従来のシロッコファンと本実施の形態のシロッコファン１に各々ホース１０を接続して騒音の比較をした結果、図５に示すように従来のシロッコファンでは、ホース１０内の共鳴によりホース１０の長さに応じた特定の周波数の騒音が発生し、騒音レベルが高く、また、音質が悪化し耳障りに感じたが、本実施の形態のシロッコファン１は、騒音レベルが低く、耳障りもなかった。
また、ホース１０を接続しない場合も、騒音の低下があった。
【００１３】
以上のように、吸込口３の縁から吸込口面に対して略垂直に内側に向かって延設された突起部３ａを設けたので、低騒音を図ることができ、ホース１０を接続してもホース１０内で発生する共鳴音による騒音悪化を抑制することができる。
また、吸込口３に設けられた突起部３ａを、吸込口３の全周縁に沿って設け、突起部３ａが羽根車２のブレード２ａとラップする幅を前記ブレードの幅の１０％〜５０％としたので、シロッコファン１の風量の低下を抑制しつつ、ホース１０内で発生する共鳴音による騒音悪化を抑制することができる。
【００１４】
実施の形態２．
実施の形態１では、吸込口３に設けられた突起部３ａを吸込口３の全周縁に沿って設けたが、本実施の形態は吸込口３の一部に設けたものである。
図６はこの発明の実施の形態２を示すシロッコファンの斜視図、図７は図６の断面図である。
図において実施の形態１の図１と同一または相当部分には同一の符号を付し説明を省略する。吸込口３には１シロッコファン１ａの羽根車２の外周とケーシング７の内周との間隙が狭くなっている舌部６（図２に図示）近傍のみ突起部３ｂを設けている。
この突起部３ｂは実施の形態１と同様に吸込口３の縁から吸込口面に対して略垂直に羽根車２の内周側に向かって延設されており、突起部３ｂが羽根車２のブレード２ａの幅Ａに対して幅Ｂでラップしている。
【００１５】
次に、図６に示す突起部３ｂの吸込口３の周方向に沿った長さを、吸込口３の全周の略１／５とするとともに、突起部３ｂが羽根車２のブレード２ａとラップする幅Ｂと羽根車２のブレード２ａの幅Ａに対する割合を０〜６０％に変化させ、ホース１０に発生する騒音低減率及び風量の関係を調べた。
その結果、図８に示すように、突起部３ｂのラップの割合が多くなるほど風量が低下し、ラップ割合が１０％では風量が略９８％で略２％低下し、ラップ割合が５０％では風量が略９２％で略８％低下し、ラップ割合が６０％では風量が略９２％で略８％低下した。
一方、突起部３ｂのラップの割合が多くなるほど騒音低減率が上昇し、ラップ割合が１０％では騒音低減率が略８％、ラップ割合が５０％では略２５％、ラップ割合が６０％では略２９％となった。
【００１６】
この結果から、シロッコファン１ａの風量の低下を抑制しつつ、ホース１０内で発生する共鳴音による騒音を抑制するには、騒音低下率の効果が１０％以上、シロッコファン１ａの風量の低下が１０％以下である領域つまり、羽根車２のブレード２ａの幅Ａに対する突起部３ｂのラップ率を１５％〜５５％にすることが望ましい。
【００１７】
以上のように、吸込口３の内側に設けられた突起部３ｂを、羽根車２の外周とケーシング７の内周との間隙が狭くなっている舌部近傍のみに設けたので、低騒音を図ることができ、ホース１０を接続してもホース１０内で発生する共鳴音による騒音悪化を抑制することができる。
また、吸込口３の舌部６近傍に設けられた突起部３ｂの吸込口３の周方向に沿った長さを、吸込口３の全周の略１／５とするとともに、突起部３ｂが羽根車２のブレード２ａとラップする幅を、ブレード２ａの幅の１５％〜５５％としたので、シロッコファン１の風量の低下を抑制しつつ、ホース１０内で発生する共鳴音による騒音悪化を抑制することができる。
【００１８】
実施の形態３．
本実施の形態は、実施の形態１で示したシロッコファンを換気装置に用いたものである。図９はこの発明の実施の形態３を示し、実施の形態１で示したシロッコファンを用いた換気装置の断面図である。
図において、換気装置２０は吸込口２１と吹出口２２が設けられた箱体からなり、その内部に設けられたシロッコファン１は実施の形態１で示したものであり、吸込口３に羽根車２の内周に羽根車２とラップするように突起部３ａが設けられ、その吹出口４にはホース１０が取り付けられている。
【００１９】
次に動作について図９により説明する。
以上のように構成された換気装置２０は、例えば、部屋の中に設けられた場合においては、図９に示すように、換気装置２０の吹出口２２部分には、シロッコファン１の吹出口４とホース１０とが接続され、ホース１０の他方端部が室外に設けられる。
そして、シロッコファン１を駆動させると、吸込口２１より空気を吸込み、シロッコファン１の吹出口４に取付けられたホース１０により吸込んだ空気が排出され、部屋の空気が換気される。
【００２０】
以上のように、実施の形態１で示したシロッコファン１を換気装置に用いたので、低騒音化を図ることができ、また、ホース１０を接続してもホース１０内で発生する共鳴音による騒音悪化を抑制され、騒音の少ない換気装置とすることができる。
なお、本実施の形態では、形態１で示したシロッコファン１を用いたが実施の形態２で示しシロッコファン１ａを用いてもよい。
【００２１】
実施の形態４．
本実施の形態は、実施の形態１で示したシロッコファンを換気装置付き空気調和機に用いたものである。図１０はこの発明の実施の形態４を示し、実施の形態１で示したシロッコファンを用いた換気装置付き空気調和機の構成図である。なお、図１０は空気調和機はセパレートタイプであり換気装置を付けた室内機を示している。
【００２２】
図において、換気装置付き空気調和機の室内機３０は、吸込口３２と吹出口３３を有する箱体に熱交換器３４と送風機（図示せず）が設けられ、熱交換器３４に上流に室内の空気を清浄にする空気清浄装置３５、３６が設けられ、また、室内音湿度を調整する制御基盤３１の反対側に実施の形態１で示したシロッコファン１が設けられている。また、空気調和機の室内機３０の吸込口３２に設けられているフィルタより大きなほこりを捕集するプレフィルタ（図示せず）が設けられている。また、シロッコファン１の吸込口３２にはホース１０が取付けられ、ホース１０の排出口には虫がホース１０内部に入らないように虫除けカバー１１が取付けられている。
【００２３】
次に動作について図１０により説明する。以上のように構成された換気機能付き空気調和機は、通常の空気調和を行うとともに、シロッコファン１が駆動することによりプレフィルタ（図示せず）を通過し、シロッコファン１の吸込口３に導かれホース１０を通過し室外に排出され、室内の換気が行われる。
【００２４】
以上のように、実施の形態１で示したシロッコファン１を換気装置付き空気調和機に用いたので、低騒音化を図ることができ、また、ホース１０を接続してもホース１０内で発生する共鳴音による騒音悪化を抑制され、騒音の少ない換気装置付き空気調和機とすることができる。
【００２５】
なお、本実施の形態ではシロッコファン１を室外機に設けたが、室外機に設けてもよい。
また、本実施の形態では、形態１で示したシロッコファン１を用いたが実施の形態２で示したシロッコファン１ａを用いてもよい。
また、実施の形態３，４では実施の形態１で示したシロッコファン１をそれぞれ用いた換気装置、換気装置付き空気調和機を示したが、シロッコファン１にホース１０を接続しただけの送風機や、シロッコファン１とホース１０を介して接続された機器を有する種々のシステムに用いることができる。
【図面の簡単な説明】
【００２６】
【図１】この発明の実施の形態１を示すシロッコファンの斜視図である。
【図２】この発明の実施の形態１を示すシロッコファンの羽根車側から見た要部斜視図である。
【図３】この発明の実施の形態１を示すシロッコファンの断面図である。
【図４】この発明の実施の形態１を示すシロッコファンの突起部が羽根車のブレードとラップする割合と騒音低減率及び風量の関係図である。
【図５】この発明の実施の形態１を示すシロッコファンと従来のシロッコファンの騒音を測定した結果を示す図である。
【図６】この発明の実施の形態２を示すシロッコファンの斜視図である。
【図７】この発明の実施の形態２を示すシロッコファンの断面図である。
【図８】この発明の実施の形態２を示すシロッコファンの突起部が羽根車のブレードとラップする割合と騒音低減率及び風量の関係図である。
【図９】この発明の実施の形態３を示すシロッコファンを具備した換気装置の断面図である。
【図１０】この発明の実施の形態４を示すシロッコファンを具備した換気機能付き空気調和機の斜視図である。
【符号の説明】
【００２７】
１、１ａ  シロッコファン、２  羽根車、２ａ  ブレード、３  吸込口、３ａ、３ｂ  突起部、４  吹出口、５  風路、６ 舌部、７  ケーシング、１０  ホース、２０  換気装置、２１  換気装置の吸込口、２２  換気装置の吹出口、３０  空気調和機の室内機。
【図１】
2006233889.tif 000003
【図２】
2006233889.tif 000004
【図３】
2006233889.tif 000005
【図４】
2006233889.tif 000006
【図５】
2006233889.tif 000007
【図６】
2006233889.tif 000008
【図７】
2006233889.tif 000009
【図８】
2006233889.tif 000010
【図９】
2006233889.tif 000011
【図１０】
2006233889.tif 000012